(57)【要約】【課題】出版物の見者に有益な情報を効果的に提供することが可能な利便性の高い携帯端末、関連情報提供システム及び携帯端末のプログラムを提供する。【解決手段】それぞれ、ひとまとまりの掲載情報に関連づけて設けられ、ひとまとまりの掲載情報に応じた端緒情報をそれぞれ記録する複数のバーコード１１（１１Ａ，１１Ｂ，・・・）を備える書籍１０の読者に、掲載情報に関連する関連情報を提供する携帯端末２０であって、読者の指示に応じて、いずれかのバーコード１１から記録されている端緒情報を入力するリーダと、入力した端緒情報に含まれるアクセス情報に基づいてコンテンツをコンテンツサーバ３０から取得するコンテンツ取得部と、取得したコンテンツを再生し、読者に提供するコンテンツ再生部とを備えることを特徴とする。【選択図】図１
2006018618.tif 000002
【特許請求の範囲】
【請求項１】
それぞれ、ひとまとまりの掲載情報又は情報掲載区域に関連づけて設けられ、前記ひとまとまりの掲載情報又は情報掲載区域に応じた端緒情報をそれぞれ記録する複数の端緒情報記録手段を備える出版物の見者に、掲載情報に関連する関連情報を提供する携帯端末であって、
見者の指示に応じて、前記出版物の複数の端緒情報記録手段のうちのいずれかから、記録されている端緒情報を入力する端緒情報入力手段と、
前記端緒情報入力手段によって入力された端緒情報に基づいて関連情報を取得する関連情報取得手段と、
前記関連情報取得手段によって取得された関連情報を見者に提供する情報提供手段とを備えること、
を特徴とする携帯端末。
【請求項２】
請求項１に記載の携帯端末において、
前記端緒情報入力手段は、見者の選択したひとまとまりの掲載情報若しくは見者の選択した情報掲載区域を識別するための識別情報、及び／又は、関連情報を提供する情報処理装置へアクセスするためのアクセス情報を含む端緒情報を入力すること、
を特徴とする携帯端末。
【請求項３】
請求項１又は請求項２に記載の携帯端末において、
前記関連情報取得手段は、前記端緒情報に基づいて見者が今後見ると予測される、ひとまとまりの掲載情報又は情報掲載区域に関連する関連情報を取得し、
前記関連情報取得手段によって取得される関連情報を記憶する関連情報記憶手段と、
前記関連情報記憶手段に記憶されている関連情報が関連するひとまとまりの掲載情報又は情報掲載区域に応じた端緒情報が、前記端緒情報読み取り手段によって入力された場合に、この記憶されている関連情報を読み出す読み出し手段とを備え、
前記情報提供手段は、前記読み出し手段によって読み出された関連情報を見者に提供すること、
を特徴とする携帯端末。
【請求項４】
請求項１又は請求項２に記載の携帯端末において、
前記出版物の識別情報を入力する出版物識別情報入力手段と、
前記出版物識別情報入力手段によって入力された出版物の識別情報に基づいて、外部から出版物の関連情報を取得する出版物関連情報取得手段と、
前記出版物関連情報取得手段によって取得された出版物の関連情報を記憶する出版物関連情報記憶手段とを備え、
前記関連情報取得手段は、前記端緒情報に基づいて前記出版物関連情報記憶手段に記憶されている関連情報から前記端緒情報に対応する関連情報を抽出して読み出すこと、
を特徴とする携帯端末。
【請求項５】
請求項１から請求項４までのいずれか１項に記載の携帯端末において、
前記情報提供手段は、前記関連情報取得手段によって取得された関連情報を、動画で表示する動画表示手段、及び／又は、音声で出力する音声出力手段を有すること、
を特徴とする携帯端末。
【請求項６】
請求項１から請求項５までのいずれか１項に記載の携帯端末と、
それぞれ、ひとまとまりの掲載情報又は情報掲載区域に関連づけて設けられ、前記ひとまとまりの掲載情報又は情報掲載区域に応じた端緒情報をそれぞれ記録する複数の端緒情報記録手段を有する出版物と、
を備える関連情報提供システム。
【請求項７】
請求項６に記載の関連情報提供システムにおいて、
前記出版物の端緒情報記録手段は、端緒情報を記録するバーコード又はＩＣタグを有すること、
を特徴とする関連情報提供システム。
【請求項８】
それぞれ、ひとまとまりの掲載情報又は情報掲載区域に関連づけて設けられ、前記ひとまとまりの掲載情報又は情報掲載区域に応じた端緒情報をそれぞれ記録する複数の端緒情報記録手段を備える出版物の見者に、掲載情報に関連する関連情報を提供するために携帯端末に実行させる携帯端末のプログラムであって、
見者の指示に応じて、前記出版物の複数の端緒情報記録手段のうちのいずれかから、記録されている端緒情報を入力する端緒情報入力手順と、
前記端緒情報入力手順において入力した端緒情報に基づいて関連情報を取得する関連情報取得手順と、
前記関連情報取得手順において取得した関連情報を見者に提供する情報提供手順とを備えること、
を特徴とする携帯端末のプログラム。
【請求項９】
請求項８に記載の携帯端末のプログラムにおいて、
前記端緒情報入力手順は、見者の選択したひとまとまりの掲載情報若しくは情報掲載区域を識別するための識別情報、及び／又は、関連情報を提供する情報処理装置へアクセスするためのアクセス情報を含む端緒情報を入力すること、
を特徴とする携帯端末のプログラム。
【請求項１０】
請求項８又は請求項９に記載の携帯端末のプログラムにおいて、
前記関連情報取得手順は、前記端緒情報に基づいて見者が今後見ると予測される、ひとまとまりの掲載情報又は情報掲載区域に関連する関連情報を取得し、
前記関連情報取得手順において取得した関連情報を記憶する関連情報記憶手順と、
再び、前記端緒情報入力手順を実行し、前記関連情報記憶手順において記憶した関連情報が関連するひとまとまりの掲載情報又は情報掲載区域に応じた端緒情報を入力した場合に、この関連情報を読み出す読み出し手順とを備え、
前記情報提供手順は、前記読み出し手順において読み出し関連情報を見者に提供すること、
を特徴とする携帯端末のプログラム。
【請求項１１】
請求項８又は請求項９に記載の携帯端末のプログラムにおいて、
前記出版物の識別情報を入力する出版物識別情報入力手順と、
前記出版物識別情報入力手順において入力した出版物の識別情報に基づいて、外部から出版物の関連情報を取得する出版物関連情報取得手順と、
前記出版物関連情報取得手順において取得した出版物の関連情報を記憶する出版物関連情報記憶手順とを備え、
前記関連情報取得手順は、前記端緒情報に基づいて前記出版物関連情報記憶手順において記憶した関連情報から前記端緒情報に対応する関連情報を抽出して読み出すこと、
を特徴とする携帯端末のプログラム。
【請求項１２】
請求項８から請求項１１までのいずれか１項に記載の携帯端末のプログラムにおいて、
前記情報提供手順は、前記関連情報取得手順において取得した関連情報を、動画で表示する動画表示手順、及び／又は、音声で出力する音声出力手順を有すること、
を特徴とする携帯端末のプログラム。
【発明の詳細な説明】
【技術分野】
【０００１】
本発明は、出版物の見者に、掲載情報に関連する関連情報を提供する携帯端末、関連情報提供システム及び携帯端末のプログラムに関するものである。
【背景技術】
【０００２】
人は、何らかの情報を得るため、書籍、図画、刊行物などの出版物に掲載されている文字、図形などの掲載情報を閲覧する、読みなど、見ている。しかし、教科書を読む場合には参考書が必要なように、一種類の出版物だけでは、十分な情報が得られないため、別の出版物を探し出さなければならない場合があり、出版物の見者に負担をかけていた。見者とは、書籍の読者など、出版物の掲載情報を見る人、つまり、情報伝達媒体である出版物の情報の伝達対象となっている人である。
この問題を解決するため、あらかじめサーバが、書籍に関連した電子情報に対応する電子情報識別子と書籍の書籍識別子を組合せて管理すると共に、会員の会員識別子と会員が取得した書籍の書籍識別子を組合せて管理しておくことで、会員の端末から会員識別子と電子情報識別子を受付けたサーバが、当該書籍の取得者に電子情報識別子に対応する電子情報を提供でき、また、会員が当該書籍を取得していることを確認した上で、端末に書籍に関連した電子情報を送信することができる書籍に関連した電子情報の提供方法と提供装置など（以下、「電子情報の提供方法等」という。）がある（例えば、特許文献１参照。）。
また、出版物は、文字、図形などの掲載情報がその表面に印刷される情報を見者に伝達する媒体であるため、見者に提供される情報は、時間が経過しても変化のない（経時的な要素のない）静的な情報に限定されている。しかし、料理の本や新聞のスポーツ記事なら動画、英会話の本であれば音声など、掲載されている静的情報と関連し、経時的要素を有する動的な関連情報を提供した方が、見者の理解が深まるなど、ユーザフレンドリーとなり、見者にとって利便性が高くなる場合も多い。この要請に応えるため、ＣＤなどの動的情報を記録する動的情報記録媒体付きの出版物が存在する。
【特許文献１】特開２００２−３５２００２号公報
【発明の開示】
【発明が解決しようとする課題】
【０００３】
しかし、電子情報の提供方法等は、書籍に関連した電子情報を提供するが、提供される電子情報が予め提供者側で設定されているため、書籍ごとに読者が得られる情報が決まってしまい、読者が欲しい情報を手に入れることができない可能性があった。更に、電子情報の提供方法等は、学習書の読者に、演習問題の電子情報を提供するなど、同一の書籍の読者に、同一の電子情報をまとめて提供するため、やる必要のない分野の演習問題など、ある読者によっては、提供される電子情報に不要な電子情報などが含まれるなど、提供される電子情報が冗長なものとなるおそれがあった。特に、雑誌、新聞など多種の掲載情報が含まれ、読者層が広い出版物においては、各見者が出版物に掲載されている各種掲載情報を選択して見るため、これらの問題は一層顕著である。
また、電子情報の提供方法等においては、電子情報を再生するために、ＣＤ再生装置を備えるパソコンなどの比較的大きな機器、スペースが必要となり、電子情報を再生する場所が限定され、外出先、電車内などでは、再生することができず、見者の利便性に欠けるという問題があった。
更に、電子情報の提供方法等は、書籍が学習書である場合に演習問題の電子情報を提供するなど、一冊の書籍について、他の書籍に記載されている掲載情報（静的情報）を提供するものであって、動的情報の提供については定かでない。
【０００４】
また、動的情報を記録する動的情報記録媒体付きの出版物においても同様の問題があった。つまり、付録の動的情報記録媒体にどのような動的情報を格納するかは、予め提供者側で設定されているため、見者が欲しい情報を手に入れることができない可能性があった。更に、同一の出版物の見者に、同一の電子情報をまとめて提供するため、提供される電子情報が冗長なものとなるおそれがあった。更に、ＣＤ再生装置、ＣＤプレイヤーなどの比較的大きな機器、スペースが必要となるという問題があった。
【０００５】
本発明の課題は、出版物の見者に有益な情報を効果的に提供することが可能な利便性の高い携帯端末、関連情報提供システム及び携帯端末のプログラムを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。すなわち、請求項１の発明は、それぞれ、ひとまとまりの掲載情報又は情報掲載区域に関連づけて設けられ、前記ひとまとまりの掲載情報又は情報掲載区域に応じた端緒情報をそれぞれ記録する複数の端緒情報記録手段（１１）を備える出版物（１０、１０−２）の見者に、掲載情報に関連する関連情報を提供する携帯端末であって、見者の指示に応じて、前記出版物の複数の端緒情報記録手段のうちのいずれかから、記録されている端緒情報を入力する端緒情報入力手段（２１、２４）と、前記端緒情報入力手段によって入力された端緒情報に基づいて関連情報を取得する関連情報取得手段（２５，２６１，２６２、２６５）と、前記関連情報取得手段によって取得された関連情報を見者に提供する情報提供手段（２２，２３，２６３）とを備えること、を特徴とする携帯端末（２０、２０−２）である。
【０００７】
請求項２の発明は、請求項１に記載の携帯端末において、前記端緒情報入力手段は、見者の選択したひとまとまりの掲載情報若しくは見者の選択した情報掲載区域を識別するための識別情報、及び／又は、関連情報を提供する情報処理装置へアクセスするためのアクセス情報を含む端緒情報を入力すること、を特徴とする携帯端末（２０、２０−２）である。
【０００８】
請求項３の発明は、請求項１又は請求項２に記載の携帯端末において、前記関連情報取得手段は、前記端緒情報に基づいて見者が今後見ると予測される、ひとまとまりの掲載情報又は情報掲載区域に関連する関連情報を取得し、前記関連情報取得手段によって取得される関連情報を記憶する関連情報記憶手段（２７３，Ｓ４７０，Ｓ４９０）と、前記関連情報記憶手段に記憶されている関連情報が関連するひとまとまりの掲載情報又は情報掲載区域に応じた端緒情報が、前記端緒情報読み取り手段によって入力された場合に、この記憶されている関連情報を読み出す読み出し手段（２６３，Ｓ４５０）とを備え、前記情報提供手段は、前記読み出し手段によって読み出された関連情報を見者に提供すること、を特徴とする携帯端末（２０）である。
【０００９】
請求項４の発明は、請求項１又は請求項２に記載の携帯端末において、前記出版物の識別情報を入力する出版物識別情報入力手段（２１−２）と、前記出版物識別情報入力手段によって入力された出版物の識別情報に基づいて、外部から出版物の関連情報を取得する出版物関連情報取得手段（２５，２６４）と、前記出版物関連情報取得手段によって取得された出版物の関連情報を記憶する出版物関連情報記憶手段（２７３−２）とを備え、前記関連情報取得手段は、前記端緒情報に基づいて前記出版物関連情報記憶手段に記憶されている関連情報から前記端緒情報に対応する関連情報を抽出して読み出すこと、を特徴とする携帯端末（２０−２）である。
【００１０】
請求項５の発明は、請求項１から請求項４までのいずれか１項に記載の携帯端末において、前記情報提供手段は、前記関連情報取得手段によって取得された関連情報を、動画で表示する動画表示手段（２２）、及び／又は、音声で出力する音声出力手段（２３）を有すること、を特徴とする携帯端末（２０、２０−２）である。
【００１１】
請求項６の発明は、請求項１から請求項５までのいずれか１項に記載の携帯端末（２０、２０−２）と、それぞれ、ひとまとまりの掲載情報又は情報掲載区域に関連づけて設けられ、前記ひとまとまりの掲載情報又は情報掲載区域に応じた端緒情報をそれぞれ記録する複数の端緒情報記録手段を有する出版物（１０、１０−２）と、を備える関連情報提供システム（１、１−２）である。
【００１２】
請求項７の発明は、請求項６に記載の関連情報提供システムにおいて、前記出版物の端緒情報記録手段は、端緒情報を記録するバーコード（１１）又はＩＣタグを有すること、を特徴とする関連情報提供システム（１）である。
【００１３】
請求項８の発明は、それぞれ、ひとまとまりの掲載情報又は情報掲載区域に関連づけて設けられ、前記ひとまとまりの掲載情報又は情報掲載区域に応じた端緒情報をそれぞれ記録する複数の端緒情報記録手段（１１）を備える出版物（１０、１０−２）の見者に、掲載情報に関連する関連情報を提供するために携帯端末（２０、２０−２）に実行させる携帯端末のプログラムであって、見者の指示に応じて、前記出版物の複数の端緒情報記録手段のうちのいずれかから、記録されている端緒情報を入力する端緒情報入力手順（Ｓ１１０、Ｓ３１０，Ｓ４１０）と、前記端緒情報入力手順において入力した端緒情報に基づいて関連情報を取得する関連情報取得手順（Ｓ１３０、Ｓ３２０、Ｓ４５０）と、前記関連情報取得手順において取得した関連情報を見者に提供する情報提供手順（Ｓ１４０、Ｓ３３０、Ｓ４５０）とを備えること、を特徴とする携帯端末のプログラムである。
【００１４】
請求項９の発明は、請求項８に記載の携帯端末のプログラムにおいて、前記端緒情報入力手順は、見者の選択したひとまとまりの掲載情報若しくは情報掲載区域を識別するための識別情報、及び／又は、関連情報を提供する情報処理装置へアクセスするためのアクセス情報を含む端緒情報を入力すること、を特徴とする携帯端末のプログラムである。
【００１５】
請求項１０の発明は、請求項８又は請求項９に記載の携帯端末のプログラムにおいて、前記関連情報取得手順は、前記端緒情報に基づいて見者が今後見ると予測される、ひとまとまりの掲載情報又は情報掲載区域に関連する関連情報を取得し、前記関連情報取得手順において取得した関連情報を記憶する関連情報記憶手順（Ｓ４７０、Ｓ４９０）と、再び、前記端緒情報入力手順を実行し、前記関連情報記憶手順において記憶した関連情報が関連するひとまとまりの掲載情報又は情報掲載区域に応じた端緒情報を入力した場合に、この関連情報を読み出す読み出し手順（Ｓ４５０）とを備え、前記情報提供手順は、前記読み出し手順において読み出し関連情報を見者に提供すること、を特徴とする携帯端末のプログラムである。
【００１６】
請求項１１の発明は、請求項８又は請求項９に記載の携帯端末のプログラムにおいて、前記出版物の識別情報を入力する出版物識別情報入力手順（Ｓ２１０）と、前記出版物識別情報入力手順において入力した出版物の識別情報に基づいて、外部から出版物の関連情報を取得する出版物関連情報取得手順（Ｓ２２０，Ｓ２３０）と、前記出版物関連情報取得手順において取得した出版物の関連情報を記憶する出版物関連情報記憶手順（Ｓ２４０）とを備え、前記関連情報取得手順は、前記端緒情報に基づいて前記出版物関連情報記憶手順において記憶した関連情報から前記端緒情報に対応する関連情報を抽出して読み出すこと、を特徴とする携帯端末のプログラムである。
【００１７】
請求項１２の発明は、請求項８から請求項１１までのいずれか１項に記載の携帯端末のプログラムにおいて、前記情報提供手順は、前記関連情報取得手順において取得した関連情報を、動画で表示する動画表示手順（Ｓ１４０、Ｓ３３０、Ｓ４５０）、及び／又は、音声で出力する音声出力手順（Ｓ１４０、Ｓ３３０、Ｓ４５０）を有すること、を特徴とする携帯端末のプログラムである。
【発明の効果】
【００１８】
本発明による携帯端末、関連情報提供システム及び携帯端末のプログラムによれば、以下の効果を得ることが可能となる。
（１）見者の指示に応じて、出版物のいずれかの端緒情報記録手段に記録されている端緒情報を入力し、この端緒情報に基づいて取得した関連情報を見者に提供することによって、見者が欲しい関連情報を選択して得ることができ、見者に有益な情報を効果的に提供することが可能となる。
（２）出版物の端緒情報記録手段から入力したアクセス情報に基づいて、関連情報を取得し、見者に提供することによって、サーバコンピュータなどの情報処理装置が、複数の携帯端末に対して関連情報を提供することが可能となる。また、任意の一又は複数の情報処理装置を用いて、関連情報を提供することが可能となる。更に、見者の選択したひとまとまりの掲載情報、又は、選択した情報掲載区域の識別情報を含む端緒情報に基づいて関連情報を取得することによって、頁番号など、出版物に記録されている様々な識別情報に応じた関連情報を見者に提供することが可能となる。更に、出版物の端緒情報記録手段に記録する情報の容量を少なくすることが可能となる。
（３）端緒情報に基づいて、見者が今後見ると予測される掲載情報に関連する関連情報を取得して記憶し、この関連情報が関連する掲載情報に応じた端緒情報が入力された場合に、この記憶されている関連情報を読み出し、見者に提供することによって、端緒情報の入力から関連情報の提供までの処理にかかる時間を短縮することが可能となる。
（４）予め外部から取得した出版物の関連情報を記憶しておき、端緒情報が入力された場合に、記憶している出版物の関連情報から対応する関連情報を抽出して読み出し、見者に提供することによって、端緒情報の入力から関連情報の提供までの処理にかかる時間を短縮することが可能となる。また、出版物の関連情報を記憶しておくことができれば、その後は、外部の情報処理装置との通信を必要としないため、通信ができない場所であっても、関連情報を提供することができ、見者の利便性を向上することが可能となった。
（５）関連情報を、動画で表示、及び／又は、音声で出力することによって、見者に効果的に関連情報を提供することが可能となる。
（６）端緒情報をバーコード又はＩＣタグに記録しておくことによって、見者の端緒情報の入力にかかる操作が容易となり、見者の利便性を向上することが可能となる。
（７）携帯型の携帯端末によって関連情報を提供することによって、見者は、出版物を見ながら、容易にその掲載情報に関連する関連情報を得ることが可能となる。
【発明を実施するための最良の形態】
【００１９】
本発明は、出版物の見者に有益な情報を効果的に提供するという目的を、それぞれ、ひとまとまりの掲載情報又は情報掲載区域に関連づけて設けられ、このひとまとまりの掲載情報又は情報掲載区域に応じた端緒情報をそれぞれ記録する複数の端緒情報記録部を備える出版物の見者に、掲載情報に関連する関連情報を提供する携帯端末であって、見者の指示に応じて、出版物の複数の端緒情報記録部のうちのいずれかから、記録されている端緒情報を入力する端緒情報入力部と、入力した端緒情報に基づいて関連情報を取得する関連情報取得部と、取得した関連情報を見者に提供する情報提供部とを備えることによって実現する。
【実施例１】
【００２０】
以下、図面などを参照して、本発明の実施例をあげて、さらに詳しく説明する。
図１は、本発明による関連情報提供システムの実施例１における構成を示す概略構成図であり、図２は、本発明による携帯端末及び関連情報提供システムの実施例１における構成を示すブロック図である。
図１及び図２に示すように、関連情報提供システム１は、書籍１０と、携帯端末２０と、コンテンツサーバ３０などとを備え、ひとまとまりの掲載情報に関連する関連情報であるコンテンツをコンテンツサーバ３０から携帯端末２０が取得し、書籍１０の読者に提供するコンピュータシステムである。例えば、書籍１０が料理の本であって、各料理の作り方が掲載されている場合には、関連情報提供システム１は、ハンバーグの作り方についてのひとまとまりの掲載情報について、ハンバーグの作り方の動画情報及び音声情報を含むコンテンツを読者に提供する。
携帯端末２０及びコンテンツサーバ３０間は、電話回線、光ケーブルその他の有線、又は赤外線その他の無線の通信回線４０を介して接続され、通信を行うことが可能である。
【００２１】
書籍１０は、書物、本、図書など、各頁に情報が印刷されている出版物であって、複数のバーコード１１（１１Ａ，１１Ｂ，・・・，１１Ｎ）（「Ｎ」は、任意の数。以下、同じ。）が、それぞれ、ひとまとまりの掲載情報に関連づけて印刷されている。ひとまとまりの掲載情報とは、各バーコードが関連づけられている掲載情報のまとまりであって、各バーコード１１をどのような掲載情報に関連づけるかは、任意に設定でき、各バーコード１１がいずれの掲載情報に関連づけてあるかが読者に解ればよい。例えば、書籍１０が料理の本である場合には、各料理の作り方を示す掲載情報に各バーコード１１を関連づけていもよい。また、煮物の作り方、焼き物の作り方などその上位の分類で、各バーコード１１を関連づけ、上位の分類による各掲載情報をひとまとまりとしてもよい。更に、書籍１０に掲載されている写真にバーコード１１を関連づけ、一の写真をひとまとまりの掲載情報としてもよい。
【００２２】
バーコード１１は、二次元バーコードであって、関連づけられているひとまとまりの掲載情報に応じた端緒情報を二次元コード化してそれぞれ記録している。端緒情報は、このひとまとまりの掲載情報に関連するコンテンツを取得するいとぐち、手がかりとなる情報であって、アクセス情報を含んでいる。アクセス情報は、コンテンツを提供するコンテンツサーバ３０へアクセスするための情報であって、コンテンツサーバ３０が提供しているウェブページの通信回線４０上の在処を示すＵＲＬ、バーコード１１が関連づけられているひとまとまりの掲載情報に対応するコンテンツを識別するためのコンテンツ識別情報などを含んでいる。なお、端緒情報を記録する端緒情報記録手段は、二次元バーコードに限定されず、携帯端末２０に入力可能な状態で端緒情報を記録できればよい。
【００２３】
携帯端末２０は、電話機の機能を有する携帯型の情報処理装置であって、リーダ２１、表示部２２、音声出力部２３、操作部２４、通信部２５、ＣＰＵ２６及び記憶部２７などを備え、ＣＰＵ２６にインターフェイス回路などを介して各部２１，２２，２３，２４，２５，２７が接続されている。
リーダ２１は、二次元バーコードに記録されている情報を読み取って、携帯端末２０に入力する入力装置である。
通信部２５は、モデムなどを備え、通信回線４０を介した通信を実現する。
ＣＰＵ２６は、記憶部２７に記憶されているプログラムを実行することによって、種々の演算、制御などを行い、携帯端末２０を統括制御する中央処理装置であって、コード解析部２６１、コンテンツ取得部２６２、コンテンツ再生部２６３などを実現する。各部２６１，２６２，２６３の機能の詳細については、図３を用いて後述する。
【００２４】
記憶部２７は、情報を記憶する記憶装置であって、ＲＡＭ２７１、ＲＯＭ２７２、不揮発性メモリ２７３などを備えている。
ＲＡＭ２７１は、揮発性メモリであり、ＣＰＵ２６が処理を行うための作業領域として使用される。ＲＯＭ２７２は、不揮発性の読み出し専用メモリであって、オペレーティングシステム（ＯＳ）などの基本ソフトウェア、アプリケーションなどのプログラム及びプログラムの実行に必要なデータなどを記憶している。不揮発性メモリ２７３は、ＥＥＰＲＯＭ、フラッシュメモリ、ＦＲＡＭなどの随時書き換え可能な不揮発性のメモリであって、アプリケーションなどのプログラム及びプログラムの実行に必要なデータなどを記憶し、ユーザのワークエリア、プログラムエリアなどとして使用される。不揮発性メモリ２７３は、コンテンツサーバ３０から受信するコンテンツを記憶する。
【００２５】
表示部２２は、ディスプレイなど、ＣＰＵ２６の制御に応じて情報を表示する。音声出力部２３は、スピーカなど、ＣＰＵ２６の制御に応じて音声情報を音声として外部へ出力する。操作部２４は、入力キー、ジョグダイヤルなど、利用者の操作に応じて、指示、情報などを入力する入力装置である。
【００２６】
サーバ３０は、通信回線４０を介して携帯端末２０と通信を行い、携帯端末２０からの要求に応じてコンテンツを提供するサーバコンピュータである。サーバ３０は、書籍１０の各ひとまとまりの掲載情報に関連する各コンテンツを、それぞれコンテンツ識別情報に関連づけてデータベース化して記憶している。
【００２７】
図３は、本発明による携帯端末及び関連情報提供システムの動作及び携帯端末のプログラムを示すフローチャートである。以下、携帯端末２０のＣＰＵ２６の処理を中心に説明する。
ステップ１００（以下、「ステップ」を「Ｓ」という。）において、書籍１０の読者は、携帯端末２０を携帯しながら、書籍１０を読んでいる。
読者は、読んでいる書籍１０の掲載情報の中に、関連情報が欲しい掲載情報があった場合に、この掲載情報に関連づけられているバーコード１１に携帯端末２０のリーダ２１を翳す。携帯端末２０は、バーコード１１に記録されているコードをリーダ２１から入力し（Ｓ１１０、図１の＃１０）、コード解析部２６１は、入力した端緒情報のコードを解析し、ＵＲＬ、コンテンツ識別情報などのアクセス情報を認識する（Ｓ１２０）。コンテンツ取得部２６２は、このアクセス情報に基づいて、コンテンツ取得処理を行う（Ｓ１３０）。つまり、コンテンツ取得部２６２は、アクセス情報に基づいて、コンテンツサーバ３０へアクセスし、コンテンツ識別情報が示すコンテンツの提供を要求する（図１の＃２０）。コンテンツサーバ３０は、指定されたコンテンツを要求元の携帯端末１０へ送信し、携帯端末２０は、これを受信し、コンテンツを取得する（図１の＃３０）。
コンテンツ再生部２６３は、受信したコンテンツを表示部２２に表示し、音声出力部２３から音声出力するなど、コンテンツを再生して読者に提供する（Ｓ１４０、図１の＃４０）。再び、コードの入力があった場合には、携帯端末２０は、同様の処理を繰り返し（Ｓ１１０からＳ１５０まで）、読者の終了指示を操作部２４から入力するなど、終了指示があった場合に処理を終了する（Ｓ１５０，Ｓ１６０）。
【００２８】
このように本実施例によれば、携帯端末２０は、読者の操作に応じて、書籍１０のいずれかのバーコード１１に記録されている端緒情報を入力し、この端緒情報に基づいて取得したコンテンツを読者に提供するため、読者が欲しいコンテンツを選択して得ることができ、読者に有益な情報を効果的に提供することが可能となった。
また、携帯端末２０は、書籍１０のバーコード１１から読み取ったＵＲＬなどのアクセス情報に基づいて、コンテンツを取得し、読者に提供するため、コンテンツサーバ３０などのサーバコンピュータによって、複数の携帯端末２０に対してコンテンツを提供することが可能となった。
【００２９】
更に、携帯端末２０は、取得したコンテンツを、動画で表示、音声で出力するため、読者が容易にコンテンツを理解することができ、効果的、効率的に読者にコンテンツを提供することが可能となった。
更にまた、端緒情報を書籍１０のバーコード１１に記録しておくため、読者の端緒情報の入力にかかる操作が容易となり、読者の利便性を向上することが可能となった。
また、携帯端末２０は、携帯型であって、コンテンツをサーバ３０から取得するため、読者は、書籍を読みながら、容易に、その掲載情報に関連するコンテンツを得ることが可能となった。
【実施例２】
【００３０】
図４は、本発明による携帯端末及び関連情報提供システムの実施例２における構成を示すブロック図である。なお、前述した実施例と同様な機能を果たす部分には、同一の符号又は末尾に統一した符号を付して、重複する説明や図面を適宜省略する。
図４に示すように、関連情報提供システム１−２は、書籍１０−２と、携帯端末２０−２と、コンテンツサーバ３０−２などとを備え、書籍１０−２に関連する書籍関連情報である書籍関連コンテンツをコンテンツサーバ３０−２から携帯端末２０−２が取得し、書籍１０−２の読者に提供するシステムである。携帯端末２０−２及びコンテンツサーバ３０−２間は、通信回線４０を介して接続され、通信を行うことが可能である。
【００３１】
書籍１０−２は、端緒情報記録部１２を備える出版物である。端緒情報記録部１２は、端緒情報のコードを記録する二次元バーコードであり、端緒情報は、書籍関連コンテンツを取得する端緒となる情報であって、書籍識別情報、書籍特定情報、要求者認証情報及びアクセス情報を含んでいる。書籍関連コンテンツは、書籍１０−２の各情報掲載区域にそれぞれ関連する複数のコンテンツを含み、情報掲載区域を識別する掲載区域識別情報である頁番号ごとに対応するコンテンツを関連づけた情報の集合である。
書籍識別情報とは、書籍を識別するための情報であって、書籍の名前、著者名、出版社などである。書籍特定情報は、書籍識別情報で識別される同一名の書籍から一冊を特定するための情報であって、同一の書籍識別情報を有する書籍にそれぞれ割り当てられる通し番号などである。書籍識別情報及び書籍特定情報によって、特定の一冊の書籍を識別することが可能となる。
【００３２】
要求者認証情報は、携帯端末２０−２を操作してコンテンツサーバ３０−２に対してコンテンツの提供を要求する者（見者）が、書籍識別情報及び書籍特定情報で示される書籍１０−２を正当に取得した者（購入した者）など、正当な要求者であることをコンテンツサーバ３０−２が認証するための情報である。要求者認証情報は、例えば、書籍１０−２の袋とじ付録内に（購買者以外の者が取得できないように）に記録されているコードなど、正当な要求者（購買者）のみが携帯端末２０−２からコンテンツサーバ３０−２へ送信可能な情報である。なお、端緒情報記録部１２が書籍特定情報を、購買者以外の者が取得できないように記録することによって、書籍特定情報及び書籍購買認証情報を兼用してもよい。アクセス情報は、コンテンツサーバ３０−２が提供しているコンテンツの通信回線４０上の在処を示すＵＲＬなど、コンテンツサーバ３０−２にアクセスするための情報である。なお、端緒情報記録部１２は、バーコードに限定されず、その記録している情報を携帯端末２０−２が入力可能な状態で記録できればよい。
また、書籍１０−２は、掲載区域識別情報となる頁番号が各頁に印刷されている。
【００３３】
携帯端末２０−２は、電話機の機能を有する携帯型の情報処理装置であって、リーダ２１−２、表示部２２、音声出力部２３、操作部２４、通信部２５、ＣＰＵ２６−２及び記憶部２７−２などを備え、ＣＰＵ２６−２に各部２１−２，２２，２４，２５，２７が接続されている。
リーダ２１−２は、書籍１０−２の端緒情報記録部１２に記録されている端緒情報のコードを読み取って、携帯端末２０−２に入力する入力装置である。
ＣＰＵ２６−２は、携帯端末２０−２を統括制御する中央処理装置であって、記憶部２７−２が記憶しているプログラムを実行することによって、コード解析部２６１、コンテンツ再生部２６３、書籍関連コンテンツ取得部２６４、コンテンツ読み出し部２６５などを実現する。各部２６１，２６３，２６４，２６５の機能の詳細については、図５を用いて後述する。
【００３４】
記憶部２７−２は、ＲＡＭ２７１、ＲＯＭ２７２−２、不揮発性メモリ２７３−２などを備え、ＣＰＵ２６−２が実行するプログラム、プログラムの実行に必要なデータ、コンテンツサーバ３０−２から受信する書籍関連コンテンツなどを記憶する。
【００３５】
サーバ３０−２は、通信回線４０を介して携帯端末２０−２と通信を行い、携帯端末２０−２からの要求に応じて書籍１０−２に関連するコンテンツである書籍関連コンテンツを提供するサーバコンピュータである。サーバ３０−２は、書籍関連コンテンツを書籍識別情報別にデータベース化して記憶している。また、サーバ３０−２は、書籍識別情報にその通し番号である書籍特定情報と、この書籍特定情報に対応する要求者認証情報とを関連づけて記憶している。
【００３６】
図５は、本発明による携帯端末及び関連情報提供システムの動作及び携帯端末のプログラムを示すフローチャートであって、携帯端末２０−２が書籍関連コンテンツをコンテンツサーバ３０−２から取得する書籍関連コンテンツ取得処理を示している。以下、携帯端末２０−２のＣＰＵ２６−２の処理を中心に説明する。
Ｓ２１０において、読者が書籍１０−２の端緒情報記録部１２に携帯端末２０−２のリーダ２１−２を翳し、携帯端末２０−２は、端緒情報記録部１２に記録されているコードをリーダ２１−２から入力する。コード解析部２６１は、入力した端緒情報のコードを解析し、書籍識別情報、書籍特定情報、要求者認証情報、アクセス情報などを認識する（Ｓ２２０）。
【００３７】
書籍関連コンテンツ取得部２６４は、これらの情報に基づいて、書籍関連コンテンツ取得処理を行う（Ｓ２３０）。つまり、書籍関連コンテンツ取得部２６４は、アクセス情報に基づいて、コンテンツサーバ３０へアクセスし、書籍識別情報、書籍特定情報、要求者認証情報に基づいた要求者の認証を要求するとともに、書籍識別情報に対応する書籍関連コンテンツの提供を要求する。コンテンツサーバ３０は、要求者を認証した場合に、書籍識別情報に対応する書籍関連コンテンツを要求元の携帯端末２０−２に送信し、携帯端末２０−２は、これを受信し、書籍関連コンテンツを取得する。なお、コンテンツサーバ３０が認証しなかった場合には、書籍関連コンテンツが携帯端末２０−２に提供されずに書籍関連コンテンツ取得処理が終了する（Ｓ２５０）。
携帯端末２０−２は、この書籍関連コンテンツを不揮発性メモリ２７３−２の所定の領域へ書き込んで記憶し（Ｓ２４０）、書籍関連コンテンツ取得処理を終了する（Ｓ２５０）。
【００３８】
図６は、本発明による携帯端末及び関連情報提供システムの動作及び携帯端末のプログラムを示すフローチャートであって、携帯端末２０−２がコンテンツを書籍１０−２の読者に提供するコンテンツ提供処理を示している。以下、携帯端末２０−２のＣＰＵ２６−２の処理を中心に説明する。
Ｓ３００において、携帯端末２０−２は、書籍関連コンテンツ取得処理を経て、その不揮発性メモリ２７３−２に書籍１０−２に関連する書籍関連コンテンツを記憶している（図５参照。）。
読者は、読んでいる書籍１０−２の中に、関連情報が欲しい掲載情報があった場合に、この掲載情報が掲載されている情報掲載区域に印刷されている頁番号を操作部２４を操作して入力する（Ｓ３１０）。コンテンツ読出部２６５は、入力した頁番号に対応するコンテンツを不揮発性メモリ２７３−２から読み出し（Ｓ３２０）、コンテンツ再生部２６３は、このコンテンツを再生して読者に提供する（Ｓ３３０）。再び、頁番号の入力があった場合には、携帯端末２０−２は、同様の処理を繰り返し（Ｓ３１０からＳ３４０まで）、読者の終了指示を操作部２４から入力するなど、終了指示があった場合に処理を終了する（Ｓ３４０，Ｓ３５０）。
【００３９】
このように本実施例によれば、実施例１と同様の効果に加え、携帯端末２０−２は、読者の選択した情報掲載区域の識別情報である頁番号に基づいてコンテンツを不揮発性メモリ２７３−２から読み出し、提供するため、一般的な出版物に記録されている頁番号を利用することができ、携帯端末２０−２の汎用性、実現性を向上することが可能となった。
また、携帯端末２０−２は、予めコンテンツサーバ３０−２から取得した書籍関連コンテンツを不揮発性メモリ２７３−２に記憶しておき、頁番号が入力された場合に、この書籍関連コンテンツから対応するコンテンツを抽出して読み出し、読者に提供するため、端緒情報の入力からコンテンツの提供までの処理にかかる時間を短縮することが可能となった。更に、一度書籍関連コンテンツを取得することができれば、その後は、コンテンツサーバ３０−２などの外部の情報処理装置との通信を必要としないため、通信ができない場所であっても、コンテンツを再生しながら書籍１０−２を読むことができ、読者の利便性を向上することが可能となった。
【００４０】
（変形例）
以上説明した実施例に限定されることなく、種々の変形や変更が可能であって、それらも本発明の均等の範囲内である。例えば、各実施例において、携帯端末として、電話機能を有する携帯端末２０，２０−２を例示したが、ＰＤＡ（Ｐｅｒｓｏｎａｌ  Ｄｉｇｉｔａｌ  Ａｓｓｉｓｔａｎｔ）など、他の携帯型の情報処理装置であってもよい。
また、各実施例において、出版物として書籍１０，１０−２を例示したが、出版物は、これに限定されず、新聞などの他の出版物であってもよい。
【００４１】
各実施例において、書籍１０，１０−２に設けられている、端緒情報を記録する記録手段として二次元バーコード（バーコード１１、端緒情報記録部１２）を例示しているが、ＩＣタグなどであってもよく、携帯端末２０に入力可能な状態で端緒情報を記録できれば、これに限定されない。また、実施例１において、バーコード１１が関連づけられている掲載情報は、書籍１０の本文中のものに限定されず、目次の項目など他の掲載情報に関連づけて設けられていてもよい。
【００４２】
実施例１において、携帯端末２０は、バーコード１１に記録してあるコンテンツ識別情報、ＵＲＬなどのアクセス情報に基づいてコンテンツをコンテンツサーバ３０から取得するが、バーコード１１が掲載情報又は情報掲載区域を識別する識別情報を記録し、コンテンツサーバ３０がこの識別情報及びコンテンツを関連づけて記憶しておき、この識別情報に基づいてコンテンツサーバからコンテンツを取得してもよい。バーコード１１などの端緒情報記録手段に記録されている端緒情報に基づいて、掲載情報又は情報掲載区域に関連するコンテンツを得ることができればよい。
【００４３】
実施例１において、携帯端末２０は、実施例２の携帯端末２０−２ように、コンテンツサーバ３０から書籍情報コンテンツを取得し、これを不揮発性メモリ２７３に記憶しておき、リーダ２１から入力するコンテンツ識別情報をキーとして、掲載情報に関連するコンテンツを読み出して、読者に提供してもよい。また、実施例２の携帯端末２０−２は、実施例１の携帯端末２０のように、頁番号の入力ごとにコンテンツサーバへアクセスし、この入力された頁番号などに基づいて、情報掲載区域に関連するコンテンツを取得し、読者に提供してもよい。
【００４４】
実施例１において、コンテンツの取得前にコンテンツの提供を要求する者を認証する正当要求者認証処理を行ってもよい。例えば、一冊の書籍１０毎にユニークな閲覧許可コードを印刷しておき、携帯端末２０で読み取り、携帯端末２０のユニークな識別子（電話番号など）とともにコンテンツサーバ３０に送信し、登録するステップを設け、コンテンツサーバ３０がコンテンツの提供要求を受けた場合には、この要求とともに受信する閲覧許可コード、携帯端末２０の識別子を登録されている情報に参照し、正当な登録者以外からのコンテンツ提供要求を排除してもよい。コンテンツを提供する対象の者を制限することが可能となる。
【００４５】
実施例１において、携帯端末２０は、サーバ３０が提供するコンテンツを取得するが、コンテンツを提供するサーバ３０の数は、一つに限定されず、複数であってもよい。例えば、各バーコード１１に異なるサーバ３０へ接続するためのＵＲＬをそれぞれ記録することによって、複数のサーバ３０からコンテンツを提供することが可能となる。
【００４６】
実施例２において、携帯端末２０−２は、通信回線４０を介してサーバ３０−２から書籍関連コンテンツを取得するが、書籍関連コンテンツの提供元となる情報処理装置は、サーバ３０−２に限定されず、例えば、店頭に設置されている情報処理装置と通信を行ってコンテンツを取得してもよい。また、サーバ３０−２から店頭に設置されている情報処理装置など、他の機器を介して書籍関連コンテンツを取得してもよい。同様に、実施例１において、コンテンツの提供元となる情報処理装置は、サーバ３０に限定されず、また、他の機器を介してコンテンツを取得してもよい。
【００４７】
実施例１において、携帯端末２０は、リーダ２１から入力する端緒情報に基づいて、この端緒情報を記録しているバーコード１１が関連づけられているひとまとまりの掲載情報の次に読者が読むと予測される、ひとまとまりの掲載情報に関連するコンテンツをサーバ３０から取得して記憶しておき、このコンテンツが関連する掲載情報に対応するバーコード１１から端緒情報を入力した場合に、読者に提供してもよい。
例えば、コンテンツサーバ３０は、コンテンツ識別情報及びコンテンツに、対応する掲載情報の掲載序列（例えば、頁番号など）を関連づけて記憶している。書籍１０は、第１の掲載情報、第２の掲載情報・・・の順に掲載情報を掲載している。なお、第１の掲載情報は、１頁にバーコード１１Ａに関連づけて掲載され、関連するコンテンツは、第１のコンテンツであり、第２の掲載情報は、２頁にバーコード１１Ｂに関連づけて掲載され、関連するコンテンツは、第２のコンテンツとする（以下、同様。）。
図７に示すように、読者が第１の掲載情報に関連するバーコード１１Ａにリーダ２１を翳し、携帯端末２０は、端緒情報を読み取り（Ｓ４１０）、コンテンツ識別情報、ＵＲＬを認識する（Ｓ４２０）。
【００４８】
ＣＰＵ２６は、入力したコンテンツ識別情報に対応するコンテンツが不揮発性メモリ２７３に記憶されているかを検索し（Ｓ４３０）、第１のコンテンツが記憶されている場合には、コンテンツ再生部２６３は、このコンテンツを読み出して再生する（Ｓ４４０，Ｓ４５０）。再生中にコンテンツ取得部２６２は、コンテンツ取得処理を行う（Ｓ４６０）。つまり、コンテンツ取得部２６２は、ＵＲＬに基づいてコンテンツサーバ３０へアクセスしてコンテンツ識別情報を送信し、第１のコンテンツの次のコンテンツ（第２のコンテンツ）の提供をコンテンツサーバ３０に要求する。コンテンツサーバ３０は、このコンテンツ識別情報に対応する第１のコンテンツの頁番号「１」の次の頁番号「２」に対応するコンテンツ（第２のコンテンツ）をコンテンツ識別情報とともに読み出し、携帯端末２０へ送信する。コンテンツ取得部２６２は、この第２のコンテンツ及びコンテンツ識別情報を受信し、不揮発性メモリ２７３に記憶する（Ｓ４７０）。
【００４９】
一方、不揮発性メモリに第１のコンテンツが記憶されていない場合には、コンテンツ取得部２６２は、入力したＵＲＬに基づいてコンテンツサーバ３０へアクセスして、コンテンツ識別情報を送信し、第１のコンテンツ及び次のコンテンツ（第２のコンテンツ）の提供をコンテンツサーバ３０に要求し、それぞれコンテンツ識別情報に関連づけられている第１及び第２のコンテンツを取得する（Ｓ４４０，Ｓ４８０）。コンテンツ取得部２６２は、第２のコンテンツ及びそのコンテンツ識別情報を不揮発性メモリ２７３に記憶し（Ｓ４９０）、コンテンツ再生部２６３は、受信した第１のコンテンツを再生する（Ｓ５００）。
【００５０】
読者は、書籍１０を読み進み、次に、第２の掲載情報に関連するバーコード１１Ｂにリーダ２１を翳し、携帯端末２０は、端緒情報を読み取り（Ｓ４１０）、コンテンツ識別情報、ＵＲＬを認識する（Ｓ４２０）。
不揮発性メモリ２７３に第２のコンテンツが記憶されているため、コンテンツ再生部２６３は、第２のコンテンツを読み出して再生し（Ｓ４５０）、再生中に携帯端末２０は、第３のコンテンツの取得処理を行うなど、同様の処理を繰り返す（Ｓ４６０，Ｓ４７０）。携帯端末２０は、同様の処理を繰り返し（Ｓ４１０からＳ５１０まで）、読者の終了指示を操作部２４から入力するなど、終了指示があった場合に処理を終了する（Ｓ５１０，Ｓ５２０）。
読者が今後見ると予測される掲載情報に関連するコンテンツを予め取得して不揮発性メモリ２７３に記憶し、このコンテンツが関連する掲載情報に応じた端緒情報が入力された場合に、この記憶されているコンテンツを読み出し、読者に提供することによって、端緒情報の入力（Ｓ４１０）からコンテンツの再生（Ｓ４５０）までの処理にかかる時間を短縮することが可能となる。
【図面の簡単な説明】
【００５１】
【図１】関連情報提供システムの構成を示す概略構成図である。（実施例１）
【図２】携帯端末及び関連情報提供システムの構成を示すブロック図である。（実施例１）
【図３】携帯端末及び関連情報提供システムの動作及び携帯端末のプログラムを示すフローチャートである。（実施例１）
【図４】携帯端末及び関連情報提供システムの構成を示すブロック図である。（実施例２）
【図５】携帯端末及び関連情報提供システムの動作及び携帯端末のプログラムを示すフローチャートである。（実施例２）
【図６】携帯端末及び関連情報提供システムの動作及び携帯端末のプログラムを示すフローチャートである。（実施例２）
【図７】携帯端末及び関連情報提供システムの動作及び携帯端末のプログラムを示すフローチャート（変形例）
【符号の説明】
【００５２】
１，１−２  関連情報提供システム
１０，１０−２  書籍
１１  バーコード
１２  端緒情報記録部
２０，２０−２  携帯端末
２１，２１−２  リーダ
２２  表示部
２３  音声出力部
２４  操作部
２５  通信部
２６，２６−２  ＣＰＵ
２７，２７−２  記憶部
３０，３０−２  コンテンツサーバ
４０  通信回線
【図１】
2006018618.tif 000003
【図２】
2006018618.tif 000004
【図３】
2006018618.tif 000005
【図４】
2006018618.tif 000006
【図５】
2006018618.tif 000007
【図６】
2006018618.tif 000008
【図７】
2006018618.tif 000009